(57)【特許請求の範囲】
【請求項１】
長尺の第１光源部と、前記第１光源部よりも小形の第２光源部と、前記第１光源部及び前記第２光源部を支持する器具本体とを備え、
前記第２光源部は、固体光源と、前記固体光源が取り付けられる取付台とを有し、
前記器具本体は、前記第１光源部を支持する第１本体部と、前記第１本体部と一体に形成されて前記第２光源部を支持する第２本体部とを有しており、
前記第１本体部は、長尺の平板状に形成される背板と、前記背板よりも長手方向の長さが短い平板状に形成され、かつ、長尺の前記背板の長手方向に沿った両端から前方へ突出する上板及び下板とを有し、
前記第２本体部は、前記上板及び前記下板の長手方向に沿って前記上板及び前記下板の外にはみ出した前記背板の端部を有し、
前記取付台は、前記背板の端部を覆うように前記第２本体部に取り付けられていることを特徴とする照明器具。
【請求項２】
前記第２光源部の前記取付台は、前記第２本体部の前面に沿って突出する突部を有し、
前記器具本体は、前記第１光源部の長手方向に沿って前記突部がかん合するかん合部を有していることを特徴とする請求項１記載の照明器具。
【発明の詳細な説明】
【技術分野】
【０００１】
本発明は、照明器具に関し、より詳細には階段の踊り場などに設置されるのに好適な照明器具に関する。
【背景技術】
【０００２】
従来例として、特許文献１に記載されている階段通路誘導灯（階段灯とも呼ばれる）を例示する。特許文献１記載の階段灯は、常用照明用の光源である直管形のＬＥＤランプと、非常用照明用の光源である直管形の蛍光ランプとを備え、階段の踊り場の壁面に設置される。すなわち、特許文献１記載の階段灯は、常時においてはＬＥＤランプを点灯して階段及び踊り場を照明（常用照明）し、火災等が発生した非常時においては蓄電池を電源として蛍光ランプを点灯することで避難通路の照明を確保している。
【先行技術文献】
【特許文献】
【０００３】
【特許文献１】特開２０１４−９３１２２号公報
【発明の概要】
【発明が解決しようとする課題】
【０００４】
ところで、近年、蛍光ランプや白熱ランプに代えて、ＬＥＤを非常用照明の光源に用いる照明器具（非常用照明器具）が普及しつつある。このような照明器具においては、非常用照明の光源（ＬＥＤ光源）として、直管形のＬＥＤランプよりも小形の光源を用いる場合がある。しかしながら、特許文献１記載の従来例の構成では、小形の光源を強固に支持することが容易ではない。
【０００５】
本発明の目的は、小形の光源を強固に支持することができる照明器具を提供することである。
【課題を解決するための手段】
【０００６】
本発明の一態様に係る照明器具は、長尺の第１光源部と、前記第１光源部よりも小形の第２光源部と、前記第１光源部及び前記第２光源部を支持する器具本体とを備えている。前記第２光源部は、固体光源と、前記固体光源が取り付けられる取付台とを有している。前記器具本体は、前記第１光源部を支持する第１本体部と、前記第１本体部と一体に形成されて前記第２光源部を支持する第２本体部とを有している。前記第１本体部は、長尺の平板状に形成される背板と、前記背板よりも長手方向の長さが短い平板状に形成され、かつ、長尺の前記背板の長手方向に沿った両端から前方へ突出する上板及び下板とを有している。前記第２本体部は、前記上板及び前記下板の長手方向に沿って前記上板及び前記下板の外にはみ出した前記背板の端部を有している。前記取付台は、前記背板の端部を覆うように前記第２本体部に取り付けられている。
【発明の効果】
【０００７】
本発明の照明器具は、小形の光源を強固に支持することができるという効果がある。
【図面の簡単な説明】
【０００８】
【図１】図１は、本発明の実施形態１に係る照明器具の斜視図である。
【図２】図２は、同上の照明器具の分解斜視図である。
【図３】図３は、同上の照明器具の光源ユニットを外した状態の正面図である。
【図４】図４は、同上の照明器具における非常用光源ユニットの分解斜視図である。
【図５】図５は、本発明の実施形態２に係る照明器具の斜視図である。
【図６】図６は、同上の照明器具の分解斜視図である。
【図７】図７は、同上の照明器具の側面断面図である。
【発明を実施するための形態】
【０００９】
本発明の実施形態に係る照明器具について、図面を参照して詳細に説明する。以下に説明する実施形態１及び実施形態２の照明器具は、例えば、建物の避難経路となる階段の踊り場の壁面に設置される照明器具（いわゆる階段通路誘導灯）である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本発明の実施形態１に係る照明器具（以下、照明器具と略す）９Ａは、図１及び図２に示すように、第１光源部に相当する光源ユニット１と、それぞれが第２光源部に相当する２つの非常用光源ユニット２と、器具本体３とを備えている。また、照明器具９Ａは、非常用電源ユニット４と、電池ユニット６と、制御ユニット５と、人検知ユニット７とを備えることが好ましい。なお、以下の説明では、特に断りのない限り、図１に示す向きにおいて、照明器具９Ａの上下、左右及び前後の各方向を規定する。すなわち、照明器具９Ａが階段の踊り場の壁面に設置された状態において、鉛直方向を上下方向とし、壁面の法線方向を前後方向とし、正面から見て左右方向を左右方向とする。
【００１１】
器具本体３は、長尺の矩形平板状に形成される背板３０と、長尺の矩形平板状である上板３１及び下板３２とを有する（図２参照）。上板３１は、背板３０の上端における長手方向の両端部を除く部分から背板３０の法線方向に沿って前方へ突出するように形成されている。同じく、下板３２は、背板３０の下端における長手方向の両端部を除く部分から背板３０の法線方向に沿って前方へ突出するように形成されている。ここで、器具本体３は、背板３０の上板３１及び下板３２と繋がっていない部分と、上板３１と、下板３２とで第１本体部３Ａを構成し、第１本体部３Ａを除く背板３０の左右両端部分で第２本体部３Ｂを構成している（図２参照）。ただし、背板３０と上板３１及び下板３２とは、金属板が曲げ加工されることで一体に形成されることが好ましい（図２参照）。
【００１２】
背板３０は、複数（図示例では４つ）の長孔３００を有している。これらの長孔３００は、背板３０の長手方向に沿って間隔を空けて設けられている（図３参照）。これらの長孔３００はそれぞれ、踊り場の壁（コンクリート壁）に埋設されているアンカーボルトが挿通される。そして、これらのアンカーボルトにナットが締め付けられることによって、器具本体３がコンクリート壁に固定される。また、背板３０の長手方向のほぼ中央に、複数（図示例では２つ）の丸孔３０１が長手方向に並ぶように設けられている（図３参照）。これらの丸孔３０１は、常用電源（商用電源）からの給電用の給電線が挿通される。さらに、背板３０の前面における丸孔３０１の近傍には、複数（図示例では３つ）の端子台３３が取り付けられている。これらの端子台３３には、丸孔３０１から引き込まれる給電線や、建物に設置されている自動火災報知設備から火災信号を受信するための信号線などが電気的に接続される。
【００１３】
電池ユニット６は、ニッケル水素電池などの２次電池を複数有し、これら複数の２次電池が合成樹脂成形体のケースに収容されて構成される。なお、電池ユニット６は、背板３０の前面における左端の部位に取り付けられることが好ましい（図３参照）。
【００１４】
非常用電源ユニット４は、常用電源から給電される交流電力を直流電力に変換して電池ユニット６を充電する充電回路と、常用電源が停電したときに電池ユニット６から非常用光源ユニット２に供給される直流電流を調整する点灯回路とを有する。さらに、非常用電源ユニット４は、後述する点検スイッチが押操作されたとき、充電回路を強制的に停止し、かつ、電池ユニット６から給電される直流電力で点灯回路に非常用光源ユニット２を点灯させるように構成される。なお、非常用電源ユニット４は、図３に示すように、第１本体部３Ａと右側の第２本体部３Ｂに跨がって、背板３０の前面における右端の部位に取り付けられることが好ましい。
【００１５】
点検スイッチは、図１及び図３に示すように、合成樹脂製の箱体４０に収容され、下板３２の左端近傍に取り付けられることが好ましい。なお、箱体４０内には、押釦スイッチからなる点検スイッチの他に、赤外線を媒体とするワイヤレス信号を受信する受光素子などが収容されている。箱体４０の下面に、複数の孔４００が設けられている（図１参照）。そして、これらの孔４００を通して点検スイッチの押釦の押操作や、受光素子によるワイヤレス信号の受信が可能となっている。なお、非常用電源ユニット４は、受光素子でワイヤレス信号を受信した場合も、点検スイッチが押操作されたときと同じく、充電回路を強制的に停止し、かつ、電池ユニット６から給電される直流電力で点灯回路に非常用光源ユニット２を点灯させる。
【００１６】
人検知ユニット７は、電波センサ７０と、センサ取付台７１とを有する。電波センサ７０は、ミリ波帯の電波を媒体として人（移動体）を検知し、人を検知したときに人検知信号を制御ユニット５に出力するように構成される。センサ取付台７１は、電波センサ７０を保持し、器具本体３の下板３２における長手方向の中央に取り付けられる（図１〜図３参照）。
【００１７】
制御ユニット５は、常用電源から給電されて動作し、人検知ユニット７（の電波センサ７０）から出力される人検知信号に応じて、光源ユニット１を制御するように構成される。制御ユニット５は、人検知ユニット７から人検知信号が出力されているとき、光源ユニット１に定格点灯するように指示するための制御信号を出力する。また、制御ユニット５は、人検知信号が出力されなくなってから所定の待機時間（例えば、数十秒から数分）が経過したとき、光源ユニット１に消灯又は定格点灯時よりも少ない光量で点灯するように指示するための制御信号を出力する。ただし、制御ユニット５は、常用電源が停電したときは全ての動作を停止する。
【００１８】
光源ユニット１は、図２に示すように、ＬＥＤモジュール１０と、ＬＥＤモジュール１０が取り付けられる取付部材１１と、ＬＥＤモジュール１０を覆うようにして取付部材１１に取り付けられるカバー１２とを備える。また、光源ユニット１は、ＬＥＤモジュール１０に直流電力を供給する電源ユニット１３を備えることが好ましい。
【００１９】
ＬＥＤモジュール１０は、長尺の矩形板状に形成された実装基板１００を有する。実装基板１００は、その前面に複数のＬＥＤ（発光ダイオード）１０１が左右方向（長手方向）に沿って１列に並ぶように実装されている（図２参照）。なお、実装基板１００は、例えば、左側の端部にコネクタが実装されている。このコネクタは、実装基板１００に形成されている導体と、電源ユニット１３の出力線とを電気的に接続するように構成される。
【００２０】
取付部材１１は、板金によってＵ字状に形成されている。取付部材１１は、長尺かつ矩形板状に形成された底板１１０と、底板１１０の上端及び下端からそれぞれ後方に突出する一対の側板１１１とを有する（図２参照）。これら一対の側板１１１の後端には、互いに離れる向き（外向き）に湾曲する引掛部１１２がそれぞれ全長に亘って設けられる。なお、上述したＬＥＤモジュール１０は、例えば、取付部材１１の底板１１０の一部を切り起こすことで形成された爪１１５により、取付部材１１に固定される（図２参照）。
【００２１】
また、取付部材１１は、長手方向における両端寄りの位置において、鉤形の先端を上側の引掛部１１２よりも後方に突出させた一対の引掛金具１１３と、下側の側板１１１の上に配置される一対の引掛ばねとを有している（図２参照）。なお、一対の引掛ばねはそれぞれ、ねじりコイルばねで構成されている。
【００２２】
電源ユニット１３は、常用電源から供給される交流電力を直流電力に変換し、当該直流電力をＬＥＤモジュール１０に供給して点灯するように構成される。また、電源ユニット１３は、制御ユニット５から出力される制御信号に応じて、ＬＥＤモジュール１０に供給する直流電力を増減するように構成される。つまり、電源ユニット１３は、制御ユニット５から定格点灯するように指示するための制御信号を受け取った場合、ＬＥＤモジュール１０に定格の直流電力（直流電流）を供給する。また、電源ユニット１３は、制御ユニット５から消灯又は定格点灯時よりも少ない光量で点灯するように指示するための制御信号を受け取った場合、ＬＥＤモジュール１０への直流電力の供給を停止する、あるいは、定格よりも少ない直流電力を供給する。なお、電源ユニット１３は、取付部材１１の後面側において、例えば、ねじなどを用いて側板１１１に取り付けられる（図２参照）。
【００２３】
カバー１２は、図２に示すように、カバー本体１４と一対のカバーエンド１５とを有している。カバー本体１４は、透光性を有する合成樹脂（例えば、アクリル樹脂やポリカーボネート樹脂等）により、長手方向（左右方向）の両端が開放された角筒状に形成されている。一対のカバーエンド１５はそれぞれ、カバー本体１４を形成する材料と同じ材料により、矩形板状に形成されている。一方のカバーエンド１５は、カバー本体１４の左端に取り付けられてカバー本体１４の左側の端面を塞いでいる。他方のカバーエンド１５は、カバー本体１４の右端に取り付けられてカバー本体１４の右側の端面を塞いでいる（図２参照）。なお、カバー本体１４は、一対の突壁部１２０を有している。一対の突壁部１２０は、後方へ突出するように、カバー本体１４の長手方向（左右方向）の全長に渡って設けられている。また、これら一対の突壁部１２０の後端には、内向き（上側の突壁部１２０では下向き、下側の突壁部１２０では上向き）に突出する突起部１２１がそれぞれ設けられている（図２参照）。カバー１２は、一対の突壁部１２０の突起部１２１がそれぞれ、取付部材１１の一対の側板１１１のうちの対応する側板１１１の引掛部１１２に引っ掛かることにより、取付部材１１の前面を被うように取付部材１１に取り付けられる。
【００２４】
光源ユニット１は、一対の引掛金具１１３のそれぞれの先端部分を、器具本体３の上板３１に設けられる受け金具３１０に引っ掛けることで器具本体３に仮保持される。そして、光源ユニット１は、一対の引掛ばねの腕部が、器具本体３の下板３２に設けられている引掛板３２０の溝３２００（図３参照）の縁に引っ掛けられることで器具本体３（の第１本体部３Ａ）に取り付けられる（図１参照）。
【００２５】
非常用光源ユニット２は、非常用ＬＥＤモジュール２０と、取付台２１と、ユニットカバー２２とを備える（図４参照）。非常用ＬＥＤモジュール２０は、図４に示すように、ＬＥＤ（発光ダイオード）２００と、レンズ２０１と、ホルダ２０２とを有する。ＬＥＤ２００は、例えば、ＣＯＢ（チップ・オン・ボード）型の白色発光ダイオードである。ホルダ２０２は、平板状のベース２０２０と、ベース２０２０の前面から突出する４つの支持部２０２１と、ベース２０２０のほぼ中央に貫通した矩形の嵌め込み孔２０２２と、ベース２０２０の対角の位置にそれぞれ設けられた挿通孔２０２３とを有する。また、ホルダ２０２は、一対の引掛爪２０２４を有することが好ましい。一対の引掛爪２０２４はそれぞれ、ベース２０２０の上下方向の中央における左右両端の凹みの縁から後方へ突出するように形成されている。なお、ホルダ２０２は、合成樹脂成形体で構成されることが好ましい。
【００２６】
ＬＥＤ２００は、嵌め込み孔２０２２に嵌め込まれた状態でベース２０２０に支持される。レンズ２０１は、例えば、ガラス製であって、円錐台形状の主レンズ２０１０と、おおよそ三角錐台形状の副レンズ２０１１と、主レンズ２０１０と副レンズ２０１１を結合している円板状のフランジ２０１２とを有することが好ましい（図４参照）。レンズ２０１は、４つの支持部２０２１がフランジ２０１２に引っ掛かることによって、ＬＥＤ２００の前方を覆うようにしてベース２０２０の前面に装着される（図２参照）。
【００２７】
取付台２１は、一対の側壁２１０と、一対の連結片２１１と、支持片２１２と、一対の差込片２１４とを有する。取付台２１は、アルミダイカストによって一体に形成されることが好ましい。図４における右側の側壁２１０（以下、第１側壁２１０Ａともいう）は、おおよそ正方形の平板状に形成される。図４における左側の側壁２１０（以下、第２側壁２１０Ｂともいう）は、第１側壁２１０Ａよりも前後方向の幅が狭い長方形状の平板状に形成される。一対の連結片２１１はそれぞれ、第１側壁２１０Ａと第２側壁２１０Ｂとを互いに平行させて連結するように構成される。なお、一対の連結片２１１の前後方向の幅寸法は、第１側壁２１０Ａの前後方向の幅寸法よりも短い。また、一対の連結片２１１のそれぞれの背面における左右両端にねじ孔が設けられている。支持片２１２は、Ｖ字形に形成され、上端が上側の連結片２１１と繋がり、下端が下側の連結片２１１と繋がることにより、前方に向かって凸となる向きに設けられる。また、支持片２１２の左右両端の近傍にそれぞれ、２対の縦溝２１２０が上下方向に沿って形成されている。さらに、支持片２１２の左上及び右下と、支持片２１２の上下方向の中央の左右両端とに、それぞれねじ孔２１２１が設けられている。一対の差込片２１４は、矩形の板状に形成され、第２側壁２１０Ｂの上端と下端からそれぞれ左右方向に突出するように設けられている。なお、取付台２１は、一対の連結片２１１と平行であり、かつ、一対の連結片２１１と等距離にある平面（支持片２１２の屈曲部位に重なる平面）を対称面として面対称に形成されている。つまり、２つの取付台２１は同一形状及び同一寸法に形成されており、上下に反転されることで器具本体３の左側及び右側のいずれにも取り付けることができる（図２参照）。
【００２８】
ユニットカバー２２は、板金製であって、天板２２０、底板２２１、上前板２２２、下前板２２３などを有する（図２及び図４参照）。天板２２０は、矩形平板状に形成され、後端から下向きに固定片２２００が突出している。この固定片２２００は、左右両端にねじ挿通孔２２０１が設けられている。底板２２１は、前後方向の幅寸法が天板２２０よりも短い矩形平板状に形成され、後端から上向きに固定片２２１０が突出している。この固定片２２１０は、左右両端にねじ挿通孔２２１１が設けられている。上前板２２２は、矩形平板状に形成され、天板２２０の前端から下向きに突出している。一方、下前板２２３は、矩形平板状に形成され、底板２２１の前端から斜め上向きに突出している。ただし、上前板２２２の下端と下前板２２３の上端とは繋がっている。ここで、底板２２１の前後方向の幅寸法が天板２２０の前後方向の幅寸法よりも短いため、下前板２２３は、上前板２２２に対して下向きに傾くように形成されている。また、下前板２２３の中央には、円形の窓孔２２３０が設けられている。この窓孔２２３０は、非常用光源ユニット２のレンズ２０１が挿通可能な大きさ（直径）に形成されることが好ましい。ユニットカバー２２は、天板２２０及び底板２２１を取付台２１の一対の連結片２１１にそれぞれ被せ、下前板２２３の窓孔２２３０にレンズ２０１を挿通して取付台２１に装着される。
【００２９】
非常用光源ユニット２は、以下のような手順で組み立てられる。まず、ホルダ２０２にＬＥＤ２００とレンズ２０１が取り付けられる。それから、ホルダ２０２は、ベース２０２０に設けられている一対の引掛爪２０２４がそれぞれ、支持片２１２における下側の２つの縦溝２１２０の縁に引っ掛けられて仮止めされる。さらに、ベース２０２０の２つの挿通孔２０２３のそれぞれにねじ２０３が挿通される。これら２本のねじ２０３はそれぞれ、取付台２１の支持片２１２における下側の２つのねじ孔２１２１のうちの対応するねじ孔２１２１にねじ込まれる。このようにして、非常用ＬＥＤモジュール２０が取付台２１に取り付けられている。さらに、天板２２０及び底板２２１が取付台２１の一対の連結片２１１にそれぞれ被せられ、下前板２２３の窓孔２２３０にレンズ２０１を挿通するようにして取付台２１にユニットカバー２２が装着される。
【００３０】
上述のように構成される非常用光源ユニット２は、以下のような手順で器具本体３（の第２本体部３Ｂ）に取り付けられている。以下では、図４に示す非常用光源ユニット２が器具本体３の右側の第２本体部３Ｂに取り付けられる場合の取付手順を説明する。
【００３１】
まず、器具本体３の背板３０の右端の前面に、ユニットカバー２２の一対の固定片２２００、２２１０を挟んで、取付台２１の後面が前方から押し当てられる。このとき、取付台２１の一対の差込片２１４はそれぞれ、器具本体３の上板３１の下、及び器具本体３の下板３２の上に重ね合わされる。それから、背板３０の右端の上部及び下部のそれぞれに２つずつ設けられているねじ挿通孔３０２に、４本のねじがそれぞれ後方から挿通される。これら４本のねじがそれぞれ、ユニットカバー２２の一対の固定片２２００、２２１０のそれぞれのねじ挿通孔２２０１、２２１１を介して、一対の連結片２１１のそれぞれのねじ孔のうちの対応するねじ孔にねじ込まれる。つまり、非常用光源ユニット２は、取付台２１及びユニットカバー２２が器具本体３の背板３０にねじ止めされることで器具本体３の右側の第２本体部３Ｂに取り付けられている。
【００３２】
ここで、器具本体への非常用光源ユニット２の取付構造として、上板と下板のそれぞれに、取付台２１の一対の差込片２１４のそれぞれがねじ止めされる構造が考えられる。この場合、非常用光源ユニット２は、一対の差込片２１４で器具本体３に支持されることになる。しかしながら、取付台２１がアルミダイカスト製であるため、板金製の取付台に比較して重量がかなり大きくなる。ゆえに、非常用光源ユニット２を十分な強度で支持するためには、板厚の大きい金属板で器具本体３を構成する必要がある。
【００３３】
これに対して本実施形態の照明器具９Ａは、第１本体部３Ａ（の背板３０）と一体に形成されている第２本体部３Ｂ（背板３０の左右両端部分）に、非常用光源ユニット２の取付台２１が取り付けられている。そのため、本実施形態の照明器具９Ａは、上板と下板のそれぞれに、取付台２１の一対の差込片２１４のそれぞれがねじ止めされる場合と比較して、非常用光源ユニット２を強固に支持することができる。
【００３４】
次に、本発明の実施形態２に係る照明器具９Ｂを図５〜図７に示す。ただし、光源ユニット１は、実施形態１の光源ユニット１と同一である。実施形態２における器具本体３は、実施形態１における器具本体３に比べて、前後方向の厚みが薄く、かつ、上下方向の幅が広く（背が高く）形成されている。同様に、実施形態２における２つの非常用光源ユニット２はそれぞれ、実施形態１における２つの非常用光源ユニット２に比べて、取付台２１及びユニットカバー２２の厚みが薄く、かつ、幅が広く形成されている。
【００３５】
また、実施形態２における器具本体３の上板３１及び下板３２がそれぞれ、長尺のＬ字形に形成されている。さらに、上板３１は、背板３０に対して着脱可能に結合されるように構成されている（図６参照）。なお、実施形態２における器具本体３では、上板３１及び下板３２のそれぞれの左右両端部分がかん合部３４に相当する（図７参照）。
【００３６】
ここで、非常用光源ユニット２の取付台２１は、図６に示すように、一対の突部２１４を有することが好ましい。一対の突部２１４はそれぞれ、左右方向から見てＬ字形に形成されている（図６及び図７参照）。
【００３７】
次に、実施形態２における非常用光源ユニット２が器具本体３の右側の第２本体部３Ｂに取り付けられる場合の取付手順を説明する。
【００３８】
まず、器具本体３の背板３０の右端の前面に、ユニットカバー２２の一対の固定片２２００、２２１０を挟んで、取付台２１の後面が前方から押し当てられる。このとき、取付台２１の一対の突部２１４はそれぞれ、器具本体３の右側の２つのかん合部３４にかん合される（図７参照）。それから、背板３０の右端の上部及び下部のそれぞれに２つずつ設けられているねじ挿通孔３０２に（図６参照）、４本のねじがそれぞれ後方から挿通される。これら４本のねじがそれぞれ、ユニットカバー２２の一対の固定片２２００、２２１０のそれぞれのねじ挿通孔２２０１、２２１１を介して、一対の連結片２１１のそれぞれのねじ孔のうちの対応するねじ孔にねじ込まれる。その結果、非常用光源ユニット２は、取付台２１及びユニットカバー２２が器具本体３の背板３０にねじ止めされることで器具本体３の右側の第２本体部３Ｂに取り付けられている。
【００３９】
ここで、取付台２１の一対の突部２１４はそれぞれ、かん合部３４（の上板３１及び下板３２）の内側の上下両面及び前面と接触している（図７参照）。つまり、実施形態２の非常用光源ユニット２は、器具本体３のかん合部３４とかん合する一対の突部２１４を有しているので、実施形態１の非常用光源ユニット２の取付台２１と比べて、器具本体３との接触面積が増加する。その結果、実施形態２の照明器具９Ｂは、実施形態１の照明器具９Ａよりも、非常用光源ユニット２を更に強固に支持することができる。
【００４０】
上述のように実施形態１、２の照明器具９Ａ、９Ｂは、長尺の第１光源部（光源ユニット１）と、光源ユニット１よりも小形の第２光源部（非常用光源ユニット２）と、光源ユニット１を支持する器具本体３とを備えている。非常用光源ユニット２は、固体光源（ＬＥＤ２００）と、ＬＥＤ２００が取り付けられる取付台２１とを有している。器具本体３は、光源ユニット１を支持する第１本体部３Ａと、第１本体部３Ａと一体に形成されて非常用光源ユニット２を支持する第２本体部３Ｂとを有している。
【００４１】
照明器具９Ａ、９Ｂが上述のように構成されれば、第１本体部３Ａと一体に形成されている第２本体部３Ｂに非常用光源ユニット２が取り付けられているので、非常用光源ユニット２を強固に支持することができる。
【００４２】
また、照明器具９Ａ、９Ｂにおいて、非常用光源ユニット２の取付台２１は、第２本体部３Ｂの前面に沿って突出する突部２１４を有することが好ましい。器具本体３は、光源ユニット１の長手方向に沿って突部２１４がかん合するかん合部３４を有していることが好ましい。
【００４３】
照明器具９Ａ、９Ｂが上述のように構成されれば、取付台２１の突部２１４を器具本体３のかん合部３４にかん合させることによって、非常用光源ユニット２を更に強固に支持することができる。
【符号の説明】
【００４４】
９Ａ、９Ｂ  照明器具
１  光源ユニット（第１光源部）
２  非常用光源ユニット（第２光源部）
３  器具本体
３Ａ  第１本体部
３Ｂ  第２本体部
２１  取付台
３４  かん合部
２００  ＬＥＤ（固体光源）
２１４  突部
【図１】
0006726876.tif 000002
【図２】
0006726876.tif 000003
【図３】
0006726876.tif 000004
【図４】
0006726876.tif 000005
【図５】
0006726876.tif 000006
【図６】
0006726876.tif 000007
【図７】
0006726876.tif 000008